(57)【要約】      （修正有）【課題】移し替え作業の際に袋状容器を手で保持し続ける必要がなく、液こぼれを防止できる詰め替え補助器具の提供。【解決手段】袋状容器の底面に穿孔し、内容物を取り出すための穿孔部材を設け、漏斗状器具に袋状容器の底面を下にしてセットすることでバランスを維持し、倒れないようにして詰め替え作業を行う。穿孔部材により開口された袋状容器から流出する内容物は、穿孔部材の下部に設けられた管通孔を通過し、プラスチック製容器（ボトル）の開口部に螺合した挿入部を通ってボトル内部に流入する。【選択図】図１
0003129185.tif 000002
【実用新案登録請求の範囲】
【請求項１】
上方に開口部を有し、底面下部にボトル挿入部を有する漏斗状の器具であって、底面に穿孔部材を垂設したことを特徴とする詰め替え補助器具。
【請求項２】
穿孔部材は鋭利な先端部と、該先端部を支える支持部とから成り、先端部の下端が支持部より大きく形成したことを特徴とする請求項１記載の詰め替え補助器具。
【請求項３】
支持部に管通孔を設けたことを特徴とする請求項１記載の詰め替え補助器具。
【請求項４】
支持部下端が回動自在又は摺動可能に底面に固定されたことを特徴とする請求項１記載の詰め替え補助器具。
【請求項５】
底面下部に設けられたボトル挿入部が内外二重の筒状に形成され、外筒内面にボトル口部のネジに螺合する凸部を設けたことを特徴とする請求項１記載の詰め替え補助器具。
【考案の詳細な説明】
【技術分野】
【０００１】
本考案は、シャンプーや液体石鹸、液体洗剤などの詰め替え用の袋状容器から内部の液体を取り出すための補助器具に関するものである。
【背景技術】
【０００２】
家庭で使用されるシャンプー、液体石鹸、液体洗剤などは、通常、プラスチック製の容器（ボトル）に入れて販売されている。  近年、袋状容器に入った内容物が別売されており、前記ボトルが空になった場合、この袋状容器に入った内容物をボトルに移し替えることによって、ボトルを繰り返し使用することができる。
【０００３】
移し替えに際しては、袋状容器の上部の一端に形成された注入口を開口し、内容物をボトルに注いで袋状容器からボトル内に移し替えを行う。移し替えを容易にかつ液体のこぼれを防ぐために、漏斗が使用される。
【考案の開示】
【考案が解決しようとする課題】
【０００４】
上記の通り、移し替えのために漏斗が使用されているが、シャンプーなどの粘度の高い液体の移し替えの場合は、液体が漏斗を経由してボトル内に落下するのに時間がかかるため、長時間にわたって袋状容器を保持し続けなければならない。また、内容物の流出を早めたり、袋に残る内容物を出来るだけ少なくするために袋状容器を絞ろうとする場合には、両手を使わねばならないため、注入口付近の位置を固定できず、注入口が漏斗から出てしまい内容液を外にこぼし易くなるうえ、袋内面に付着した内容液を完全には排出できず残液が残るなどの問題がある。
【０００５】
また、袋状容器の上部に形成された注入口を開口する際に、指先にうまく力が入らなかったり滑ったりして開口することが困難な場合がある。
【課題を解決するための手段】
【０００６】
上記課題を解決するために、本考案は袋状容器の底面に穿孔し、内容物を取り出すための穿孔部材を設け、漏斗状器具に袋状容器の底面を下にしてセットすることでバランスを維持し、倒れないようにして詰め替え作業を行う。穿孔部材により開口された袋状容器から流出する内容物は、穿孔部材の下部に設けられた管通孔を通過し、プラスチック製容器（ボトル）の開口部に螺合した挿入部を通ってボトル内部に流入する。
【０００７】
この構成により、移し替え作業の際に袋状容器を手で保持し続ける必要がなく、液こぼれを防止できる構成を有する。
【０００８】
穿孔部材の先端部下端を支持部より大きく形成することで、袋状容器を穿孔後袋状容器底面の開口部と穿孔部材（支持部）との間にスキマを確保し、内容物が速やかに流出する構成を有する。
【０００９】
または、穿孔部材を上下または横方向に摺動させることで、袋状容器を穿孔後穿孔部材を容器から取り除くことで、内容物が速やかに流出する構成を有する。
【００１０】
この場合穿孔部材の先端部分下端は、必ずしも保持部より大きい必要はない。
【考案の効果】
【００１１】
市販されている袋状容器の開封用注入口は、その位置や形状の異なる種類のものが多く存在するが、上記構成を備えることにより、これに影響されることなく袋に穿孔できる。  これにより、開封用注入口を手でちぎったり、ハサミを用いて開口する必要がなくなる。
【００１２】
また、穿孔後は液こぼれを心配することなく、かつ袋やボトルを保持しつづけない（手放し状態）で詰め替え作業を行うことも可能となる。
【００１３】
袋状容器をセット後は、安定して自立可能なため手放しにでき、詰め替え作業に時間をかけて袋状容器内部の内容物をきれいに取り出すことが可能となる。
【００１４】
また、穿孔部材を回動自在または摺動可能とすることで、使用時に垂設している穿孔部材を安全かつコンパクトに収納することが出来る。
【考案を実施するための最良の形態】
【００１５】
［実施例］
以下、本考案の実施の形態について、図面に基づいて説明する。
【００１６】
図１、図２、図３は、本考案の詰め替え補助器具で、中央部分に穿孔部材２が回動自在に取り付けられている。
【００１７】
詰め替え作業で本品を使用する際には、図１に示すように穿孔部材２を直立させる。  本品使用後は、図２に示すように穿孔部材２を倒すことで安全かつコンパクトな状態で保管することができる。
【００１８】
図３に示すボトル挿入部４は、市販のプラスチック製容器（ボトル）の開口部に設けられたネジに螺合する形状の突起４ａを配し、詰め替え作業の際には詰め替え補助器具１とプラスチック製容器（ボトル）を固定する役割を果たす。
【００１９】
図４に示すように、穿孔部材２は鋭利な先端を有する先端部２ａと先端部下端よりも充分に細い保持部２ｂより構成される。
【００２０】
図５に、シャンプーや液体石鹸、液体洗剤などの詰め替え用の袋状容器５を示す。  該袋状容器の底部５ａに上記穿孔部材２が突き刺さることで、袋状容器の内容物を取り出すための開口部がつくられる。
【００２１】
該袋状容器は、注入口５ｂを上に向け底部５ａを下に向けた状態で、バランスを保ち自立可能な状態を維持できる。
【００２２】
図６に、プラスチック製容器（ボトル）６を示す。
【００２３】
通常、該容器はシャンプーや液体石鹸などの内容物が充填された状態で販売されており、上部のポンプ部分を取り外すことで開口部６ａがあらわれ該開口部より新たに内容物を補充することが可能である。
【００２４】
開口部を上に向けて置くことで自立可能な状態を維持する。
プラスチック製容器６に詰め替え補助器具１を、また、詰め替え補助器具１に袋状容器５をセットする前の状態を図６に示す。
【００２５】
また、これらをセットした状態を図７に示す。
【００２６】
袋状容器５の底部５ａは穿孔部材２によって開口され、該開口部より排出される内容物は、穿孔部材保持部２ｂを伝って管通口３を通過し、その後プラスチック製容器（ボトル）の開口部６ａを介して該ボトル内部に溜められる。
【００２７】
セットした状態（図7）の際の断面形状を図８に示す。
【００２８】
詰め替え補助器具１は、プラスチック製容器（ボトル）６の開口部に設けられた
ネジ部と螺合させて容易に外れないよう固定する。(図９−ａ)
【００２９】
穿孔部材２によって開口された袋状容器の底部５ａは、穿孔部材保持部２ｂ
の位置で留まる。  この際、袋状容器の開口部と穿孔部材保持部２ｂの間に袋状容器の内容物が容易に排出されるだけのスキマがつくられる。
【００３０】
その状態の斜視図を図９−ｂに示す。
【００３１】
該内容物は、穿孔部材保持部２ｂを伝って管通口３を通過し、プラスチック製容器（ボトル）６の内部に落下する。
【００３２】
セット状態（図７）において、プラスチック製容器（ボトル）６、詰め替え補助器具１、袋状容器５は自立可能な状態であり、詰め替え作業の間、手で容器を保持する必要がない。  これにより詰め替え作業者は、詰め替え作業中に他の作業を行うことが可能となる。
【図面の簡単な説明】
【００３３】
【図１】詰め替え補助器具で、中央の回動式穿孔部材を直立させた状態の斜視図。
【図２】詰め替え補助器具で、中央の回動式穿孔部材を倒した状態の斜視図。
【図３】詰め替え補助器具で、底部のボトル挿入口を示した斜視図。
【図４】穿孔部材の正面図・側面図・上面図。
【図５】市販されている詰め替え用の袋状容器の斜視図。
【図６】市販のプラスチック製容器（ボトル）の上部ポンプ部分を外し、該開口部に詰め替え補助器具をセットし、袋状容器をセットしようとする状況の斜視図。
【図７】図-６で示したプラスチック製容器（ボトル）、詰め替え補助器具、袋状容器をセットした状態（詰め替え中）の斜視図。
【図８】図７で示したセット状態の断面図。
【図９−ａ】図８の断面図で、プラスチック製容器（ボトル）と詰め替え補助器具の螺合部分を拡大した詳細図。
【図９−ｂ】図８の断面図で、穿孔部材と袋状容器の底部を拡大した斜視図。
【符号の説明】
【００３４】
１．     詰め替え補助器具
２．     詰め替え補助器具の穿孔部材
２ａ．   穿孔部材の先端部
２ｂ．   穿孔部材の保持部
２ｃ.    穿孔部材先端部の最大径部分
３.      詰め替え補助器具の管通口
４．     詰め替え補助器具のボトル挿入部
４ａ．   ボトル挿入部の螺合突起
５．    袋状容器（市販の詰め替え袋）
５ａ．   袋状容器の底部
５ｂ．   袋状容器の注入口
５ｃ．   袋状容器の開口と穿孔部材保持部とのスキマ
６．     プラスチック製容器（ボトル）
６ａ．   プラスチック製容器の開口部
【図１】
0003129185.tif 000003
【図２】
0003129185.tif 000004
【図３】
0003129185.tif 000005
【図４】
0003129185.tif 000006
【図５】
0003129185.tif 000007
【図６】
0003129185.tif 000008
【図７】
0003129185.tif 000009
【図８】
0003129185.tif 000010
【図９−ａ】
0003129185.tif 000011
【図９−ｂ】
0003129185.tif 000012